(57)【特許請求の範囲】
【請求項１】
車両の乗り込み面から所定の深さで形成されたピット内に設けられた立体駐車装置であって、
前記車両が載置されるパレットをパレット支柱によって多段に連結してなるパレット昇降体と、
前記パレット昇降体の前後左右で前記ピットに立設されたピット支柱と、
前記パレット昇降体の下部に架け渡され、前記パレット昇降体を吊り上げる吊りチェーンと、
前記パレット昇降体の一側に位置する前後の前記ピット支柱の上部間に回転可能に軸支されると共に、前記吊りチェーンの一端側が巻き掛けられる吊り上げ用スプロケットが固定された昇降駆動軸とを備え、
前記パレット昇降体における下段パレットの両側には、前記吊り上げ用スプロケットの固定位置に対応して前記吊りチェーンが噛合する一対のチェーン用スプロケットが固定され、
前記吊り上げ用スプロケットの固定位置と前記吊りチェーンの他端側の固定位置との間隔は、前記一対のチェーン用スプロケットの固定位置の間隔よりも大きくなっており、
前記パレット昇降体が前記吊りチェーンの他端側に偏在することによって、前記パレットを前記昇降駆動軸付近まで移動させたときに、前記吊り上げ用スプロケットの前記固定位置と前記チェーン用スプロケットの前記固定位置との間に、所定の間隔が設けられており、
前記所定の間隔は、前記パレット昇降体の昇降をガイドするガイド手段により保持されていることを特徴とする立体駐車装置。
【請求項２】
車両の乗り込み面から所定の深さで形成されたピット内に設けられた立体駐車装置であって、
前記車両が載置されるパレットをパレット支柱によって多段に連結してなるパレット昇降体と、
前記パレット昇降体の前後左右で前記ピットに立設されたピット支柱と、
前記パレット昇降体の下部に架け渡され、前記パレット昇降体を吊り上げる吊りチェーンと、
前記パレット昇降体の一側に位置する前後の前記ピット支柱の上部間に回転可能に軸支されると共に、前記吊りチェーンの一端側が巻き掛けられる吊り上げ用スプロケットが固定された昇降駆動軸とを備え、
前記パレット昇降体における下段パレットの両側には、前記吊り上げ用スプロケットの固定位置に対応して前記吊りチェーンが噛合する一対のチェーン用スプロケットが固定され、
前記吊りチェーンは、当該吊りチェーンの他端側の固定位置と前記チェーン用スプロケットのチェーン立ち上がり位置との間において前記ピット支柱に沿って略垂直に張設されていると共に、前記吊り上げ用スプロケットのチェーン架け渡し位置と前記チェーン用スプロケットのチェーン立ち上がり位置との間において前記ピット支柱に対して傾斜して張設されており、
前記パレット昇降体が前記吊りチェーンの他端側に偏在することによって、前記パレットを前記昇降駆動軸付近まで移動させたときに、前記吊り上げ用スプロケットの前記固定位置と前記チェーン用スプロケットの前記固定位置との間に、所定の間隔が設けられており、
前記所定の間隔は、前記パレット昇降体の昇降をガイドするガイド手段により保持されていることを特徴とする立体駐車装置。
【請求項３】
前記所定の間隔は、前記チェーン用スプロケットの歯の総高さよりも大きいことを特徴とする請求項１又は２記載の立体駐車装置。
【請求項４】
前記所定の間隔が保持されるように前記パレット昇降体の昇降をガイドするガイド手段を更に備えたことを特徴とする請求項１〜３のいずれか一項記載の立体駐車装置。
【請求項５】
前記ガイド手段は、前記下段パレットに設けられ、前記昇降駆動軸が軸支された前記ピット支柱の側面に当接するガイドローラであることを特徴とする請求項１〜４のいずれか一項記載の立体駐車装置。
【請求項６】
前記一側の前後のピット支柱には、前記昇降駆動軸の軸受が固定されており、
前記ガイドローラは、前記軸受の固定位置に対応して前記ピット支柱の側面に当接していることを特徴とする請求項５記載の立体駐車装置。
【請求項７】
前記ガイドローラの高さは、前記チェーン用スプロケットの高さ以下となっていることを特徴とする請求項５又は６記載の立体駐車装置。
【発明の詳細な説明】
【技術分野】
【０００１】
本発明は、立体駐車装置に関する。
【背景技術】
【０００２】
従来のピット式の立体駐車装置の一例として、例えば特許文献１に記載のものが知られている。この従来の立体駐車装置は、車両の地上面から所定の深さで形成されたピット内に、上下方向に配置された複数段のパレットからなる多段パレット昇降体が複数列配置されている。この立体駐車装置では、パレット昇降体の下部に設けられたチェーン用スプロケットを介して昇降用のチェーンが駆動部により繰り出し及び巻き取られることで、パレット昇降体が上下に移動するようになっている。
【０００３】
ところで、近年では、運転が容易で且つ駐車幅を減少できるいわゆるコンパクトカーが増加している。このコンパクトカーでは、全長や全幅を減少させる代わりに天井高さを高くして室内容積を確保しており、その車高は従来の車両の車高に比べて高くなっている。そのため、コンパクトカー等の車高の高い車両に対応するためには、パレット間の間隔に余裕が必要となり、装置全体の高さが増大する。
【０００４】
一方、立体駐車装置の高さを増大させていくと、装置の設置面からの高さが例えば８ｍを超える場合には法令で建築物又は指定工作物として取り扱われることになり、構造の変更か用途の制限等を伴うものとなってしまうため、比較的浅いピット内に立体駐車装置を収めることが求められている。従って、パレット間の間隔を十分に確保しつつ、立体駐車装置全体の高さ方向の省スペース化を図らなければならないといった課題がある。
【０００５】
これに関して、例えば特許文献２に記載の立体駐車装置では、支柱の下端部に設けられてバランスチェーンの端部を固定する固定部を、バランスチェーンブラケットの昇降領域外となる支柱の前面又は後面に配置することで、バランスチェーンをピットの底面付近まで下降させている。これにより、パレット昇降体の下降位置におけるバランスチェーンブラケット及び下段パレットの位置を従来よりも低い位置に設定することで、既存のピットに格納しつつ上段パレットと下段パレットと間隔を増大させて上記課題の解決を図っている。
【先行技術文献】
【特許文献】
【０００６】
【特許文献１】特開２００６−８３６４５号公報
【特許文献２】特開２００７−１４６５４３号公報
【発明の概要】
【発明が解決しようとする課題】
【０００７】
ここで、上述のような従来のピット式の立体駐車装置では、吊りチェーンによる吊り上げ方式の構造上、駆動部に連動する昇降駆動軸の位置を地上面よりも高く設定しておく必要がある。そのため、昇降駆動軸等が取り付けられる複数の支柱に設けられる道板の高さは、昇降駆動軸を地上面から高くする分だけ地上面よりも高くされている。しかし、最近では、道板が地上面に対して出っ張るため、乗降や歩行がしにくいことなどといったことから、道板の出っ張りを地上面に対して極力低くすることが要求されている。
【０００８】
しかしながら、上記特許文献１，２の立体駐車装置において昇降駆動軸をより低い位置に設けた場合には、昇降駆動軸とチェーン用スプロケットとが下段パレットの上限位置で非常に接近又は干渉するため、何らかの原因で下段パレットがオーバーランした場合には、昇降駆動軸とチェーン用スプロケットとが干渉することになる。従って、昇降駆動軸を低い位置に設ける場合には、高さ方向において昇降駆動軸とチェーン用スプロケットとの間に一定の間隔を確保しなければならず、より深いピットが必要となる。従って、既存のピットを造成し直さねばならないといった問題がある。
【０００９】
本発明は、上記課題解決のためになされたものであり、ピットの深さを深くすることなく、道板を地上面に対して低くすることができる立体駐車装置を提供することを目的とする。
【課題を解決するための手段】
【００１０】
上記課題を解決するために、本発明に係る立体駐車装置は、車両の乗り込み面から所定の深さで形成されたピット内に設けられた立体駐車装置であって、車両が載置されるパレットをパレット支柱によって多段に連結してなるパレット昇降体と、パレット昇降体の前後左右でピットに立設されたピット支柱と、パレット昇降体の下部に架け渡され、パレット昇降体を吊り上げる吊りチェーンと、パレット昇降体の一側に位置する前後のピット支柱の上部間に回転可能に軸支されると共に、吊りチェーンの一端側が巻き掛けられる吊り上げ用スプロケットが固定された昇降駆動軸とを備え、パレット昇降体における下段パレットの両側には、吊り上げ用スプロケットの固定位置に対応して吊りチェーンが噛合する一対のチェーン用スプロケットが固定され、チェーン用スプロケットは、パレット昇降体の昇降方向から見て吊り上げ用スプロケットと重ならない位置に配置されていることを特徴とする。
【００１１】
この立体駐車装置では、チェーン用スプロケットがパレット昇降体の昇降方向から見て吊り上げ用スプロケットと重ならない位置に配置されている。これにより、パレット昇降体を上昇させて下段パレットを昇降駆動軸が設置された高さ位置付近まで上昇させた場合であっても、チェーン用スプロケットと吊上用スプロケットとが干渉しない。そのため、下段パレットが上昇した分だけ昇降駆動軸の取り付け位置を低くすることができるので、昇降駆動軸の高さ位置を低く設定することが可能となる。これにより、昇降駆動軸を地上面に対して低くした分だけ、道板の高さを地上面に対して低くすることができる。また、チェーン用スプロケットと吊り上げ用スプロケットとの干渉を避けることができるので、高さ方向においてチェーン用スプロケットと吊り上げ用スプロケットとの間に一定の間隔を確保しなくてもよく、ピットを深くする必要がない。従って、ピットの深さを深くすることなく、道板を地上面に対して低くすることができる。
【００１２】
また、吊り上げ用スプロケットの固定位置と吊りチェーンの他端側の固定位置との間隔は、一対のチェーン用スプロケットの固定位置の間隔よりも大きくなっており、パレット昇降体が吊りチェーンの他端側に偏在することによって、吊り上げ用スプロケットとチェーン用スプロケットとの間に、所定の間隔が設けられているが好ましい。このように、パレット昇降体をピット内において偏在させて所定の間隔を設けることにより、吊り上げ用スプロケットとチェーンスプロケットとの間に所定の間隔を確保できるので、吊り上げ用スプロケットとチェーン用スプロケットとが確実に重ならないように構成することができる。
【００１３】
また、吊りチェーンは、吊りチェーンの他端側の固定位置とチェーン用スプロケットのチェーン立ち上がり位置との間においてピット支柱に沿って略垂直に張設されていると共に、吊り上げ用スプロケットのチェーン架け渡し位置とチェーン用スプロケットのチェーン立ち上がり位置との間においてピット支柱に対して傾斜して張設されており、パレット昇降体が吊りチェーンの他端側に偏在することによって、吊り上げ用スプロケットとチェーン用スプロケットとの間に、所定の間隔が設けられていることが好ましい。このように吊りチェーンが張設され、パレット昇降体をピット内において偏在させて所定の間隔を設けることにより、吊り上げ用スプロケットとチェーンスプロケットとの間に所定の間隔を確保できるので、吊り上げ用スプロケットとチェーン用スプロケットとが確実に重ならないように構成することができる。
【００１４】
また、所定の間隔は、チェーン用スプロケットの歯の総高さよりも大きいことが好ましい。これにより、吊り上げ用スプロケットとチェーン用スプロケットとの干渉（歯先の接触）を確実に防止することができる。
【００１５】
また、所定の間隔が保持されるようにパレット昇降体の昇降をガイドするガイド手段を更に備えたことが好ましい。パレット昇降体には、昇降時に一定方向に横荷重が加わるため、横方向への移動及び横揺れが発生する場合がある。そこで、ガイド手段を設けることにより、昇降時において所定の距離が保持されるので、パレット昇降体を安定的に昇降させることができ、パレット昇降体の横揺れを防止することができる。
【００１６】
また、ガイド手段は、下段パレットに設けられ、昇降駆動軸が軸支されたピット支柱の側面に当接するガイドローラであることが好ましい。パレット昇降体は、吊りチェーンによって吊り上げられる構造上、下部に配置された下段パレットの揺れ幅が大きい。そこで、ガイドローラを下段パレットに設けることにより、より安定的にパレット昇降体を昇降させることができる。また、ガイドローラを支柱に当接させるので、ガイドレールを新たに設ける必要がなく、簡易な構成とすることができる。
【００１７】
また、一側の前後のピット支柱には、昇降駆動軸の軸受が固定されており、ガイドローラは、軸受の固定位置に対応してピット支柱の側面に当接していることが好ましい。吊りチェーンによる張力は、昇降駆動軸を軸支する軸受を介してピット支柱が受けることになる。そして、軸受及びガイドローラがピット支柱の側面に加える負荷は、その方向が互いに反対方向となっている。そこで、ガイドローラと軸受とが同一線上となる位置にガイドローラをピット支柱の側面に当接させることにより、ピット支柱に加わる負担を最小限に抑えることができる。
【００１８】
また、ガイドローラの高さは、チェーン用スプロケットの高さ以下となっていることが好ましい。この場合には、例えばガイドローラの高さをチェーン用スプロケットと同じ高さとすることで、吊りチェーンの水平成分の張力をガイドローラが同一位置で負担することになるため、パレット昇降体のバランス（転覆防止性）に影響を与えない。また、ガイドローラをチェーン用スプロケットの高さよりも低い位置とした場合でも、ガイドローラの反力がパレット昇降体のバランスに悪影響を与えない。従って、パレット昇降体の昇降に安定性を持たせることができる。
【発明の効果】
【００１９】
本発明によれば、ピットの深さを深くすることなく、道板を地上面に対して低くすることができる。
【図面の簡単な説明】
【００２０】
【図１】本発明の第１実施形態に係る立体駐車装置示す正面図である。
【図２】図１に示した立体駐車装置の側面図である。
【図３】図１に示した立体駐車装置の上面図である。
【図４】昇降駆動軸と吊りチェーン用スプロケットとの位置関係を示す図である。
【図５】地上面と道板との関係を示す図である。
【図６】下段パレットの構成を示す図である。
【発明を実施するための形態】
【００２１】
以下、図面を参照しながら、本発明に係る立体駐車装置の好適な実施形態について詳細に説明する。
【００２２】
図１は、本発明の第１実施形態に係る立体駐車装置示す正面図である。また、図２は、その側面図、図３は、その上面図である。図１〜図３に示すように、立体駐車装置１は、車両Ｋが走行する地上面Ｇ（車両Ｋの乗り込み面）のから所定の深さを掘削して形成されたピットＰ内に設けられている。以下、車両Ｋの入出庫側を前側として説明する。
【００２３】
ピットＰ内において、立体駐車装置１は、枠体２を有している。枠体２は、ピットＰの前側及び後側において左右一対に立設された前側支柱３及び後側支柱４によって構成されている。この前側及び後側支柱３，４は、Ｈ形鋼から成っている。枠体２に囲まれた空間には、パレット昇降体５が配置されている。
【００２４】
パレット昇降体５は、車両Ｋが載置される複数（本実施形態では２枚）のパレット６と、パレット６の両側に配置された前側パレット支柱７及び後側パレット支柱８とによって構成されている。すなわち、パレット昇降体５は、上段パレット６ａ及び下段パレット６ｂを有しており、各パレット６ａ，６ｂが前後一対の前側パレット支柱７及び後側パレット支柱８によって２段に連結されている。
【００２５】
また、パレット昇降体５の前側及び後側の下部には、下段パレット６ｂの両側に設けられた前側及び後側吊りチェーン用スプロケット１０，１１を介して、前側吊りチェーン１２及び後側吊りチェーン１３の２つの吊りチェーンが架け渡されている。前側吊りチェーン１２及び後側吊りチェーン１３により、パレット昇降体５は、ピットＰの底面から所定の高さに吊り上げられた状態となっている。
【００２６】
また、図２に示すように、パレット昇降体５の前側には、下段パレット６ｂに設けられたバランスチェーン用スプロケット１４を介して、バランスチェーン１５が架け渡されている。このバランスチェーン１５は、前側支柱３の上端部に固定されたチェーンホルダ（図示しない）に一端部が連結され、バランスチェーン用スプロケット１４を介し、他端部がチェーン固定部１６に固定されている。すなわち、バランスチェーン１５は、バランスチェーン用スプロケット１４を経由して、前側支柱３の上端部と前側支柱３の下部とに張設されている。
【００２７】
一方、前側支柱３の頂部と後側支柱４の頂部との間には、道板Ｍが設けられている。道板Ｍは、前側及び後側支柱３，４の頂部を覆うように地上面Ｇから上方に突出してパレット６の前後方向に延在しており、パレット昇降体５の昇降によって地上面Ｇに移動したパレット６との協働によって通路を形成するようになっている。
【００２８】
続いて、上述したパレット昇降体５の昇降機構について説明する。パレット昇降体５の昇降機構は、上述した前側吊りチェーン１２、後側吊りチェーン１３及びバランスチェーン１５のほか、図２に示すように、駆動モータ１７と、昇降駆動軸１８とによって構成されている。
【００２９】
駆動モータ１７は、駆動スプロケット１９を有しており、駆動モータ１７の本体部分は、枠体２における片側の後側支柱４にブラケット（図示しない）を介して固定されている。また、昇降駆動軸１８は、前側支柱３の上部と後側支柱４の上部との間に軸受３０ａ，３０ｂ（図３参照）により回転可能に軸支されている。昇降駆動軸１８の後端部分には、連動スプロケット２０が固定され、この連動スプロケット２０と駆動スプロケット１９との間にエンドレスチェーン２１が架け渡されている。
【００３０】
昇降駆動軸１８の前側及び後側には、前側吊りチェーン用スプロケット１０及び後側吊りチェーン用スプロケット１１の位置に対応させて、前側吊用スプロケット２２及び後側吊用スプロケット２３がそれぞれ固定されている。各吊用スプロケット２２，２３には、それぞれ前側吊りチェーン１２及び後側吊りチェーン１３の一端側が巻き掛けられている。なお、各吊りチェーン１２，１３の一端部は、図示しない固定部に固定されている。
【００３１】
前側吊りチェーン１２及び後側吊りチェーン１３は、前側吊りチェーン用スプロケット１０及び後側吊りチェーン用スプロケット１１を介して下段パレット６ｂの下部で幅方向に架け渡され、各吊りチェーン１２，１３の他端側は、前側支柱３の上部に固定部２４を介して固定されている（図１参照）。
【００３２】
ここで、図１に示すように、各吊用スプロケット２２，２３の固定位置と固定部２４の固定位置との間隔は、一対の吊りチェーン用スプロケット１０，１１の固定位置の間隔よりも大きくなっている。そして、パレット昇降体５は、ピットＰ内において、各吊りチェーン１２，１３の他端側が固定される固定部２４側に偏在している。このような構成により、前側吊りチェーン用スプロケット１０及び後側吊りチェーン用スプロケット１１と、前側吊用スプロケット２２及び後側吊用スプロケット２３との間には、間隔Ｗが設けられている。これにより、各吊りチェーン用スプロケット１０，１１と各吊用スプロケット２２，２３とは、パレット昇降体５の昇降方向（図７参照）から見て、重ならない位置に配置されている。
【００３３】
具体的には、各吊りチェーン用スプロケット１０，１１と各吊用スプロケット２２，２３との間の幅方向の間隔Ｗは、少なくとも各吊りチェーン用スプロケット１０，１１の歯の総高さ（吊りチェーン用スプロケット１０又は吊りチェーン用スプロケット１１の（外径−歯底円直径）／２）よりも大きくなっており、例えば９０〜１００ｍｍ程度となっている。すなわち、各吊りチェーン１２，１３は、各吊りチェーン用スプロケット１０，１１（図１左側）のチェーン立ち上がり位置におけるチェーン中心と各吊用スプロケット２２，２３のチェーン架け渡し位置におけるチェーン中心との間において、支柱３，４に対して傾斜して張設されている。なお、チェーン立ち上がり位置とは、各吊りチェーン用スプロケット１０，１１のピッチ円直径の各吊用スプロケット２２，２３側である。また、チェーン架け渡し位置とは、各吊用スプロケット２２，２３のピッチ円直径の各吊りチェーン用スプロケット１０，１１側である。
【００３４】
一方、固定部２４側の各吊りチェーン用スプロケット１０，１１は、固定部２４の真下に配置されており、各吊りチェーン用スプロケット１０，１１と固定部２４との間の間隔は、間隔Ｗを確保するために狭くなっている。すなわち、各吊りチェーン１２，１３は、固定部２４の固定位置と各吊りチェーン用スプロケット１０，１１（図１右側）のチェーン立ち上がり位置におけるチェーン中心との間において、支柱３，４に沿って略垂直に張設されている。
【００３５】
また、下段パレット６ｂには、ガイドローラ２７が設けられている。このガイドローラ２７は、各吊用スプロケット２２，２３と各吊りチェーン用スプロケット１０，１１との間の間隔Ｗが保持されるようにパレット昇降体５の昇降ガイドするものであり、支持部２８と、当接部２９とを備えている。支持部２８は、Ｌ字状を成し、下段パレット６ｂから前側及び後側支柱３，４側（図示左側）に向かって斜め下方に突出するように下段パレット６ｂの下部に取り付けられている。また、当接部２９は、円形状を成すと共に支持部２８に対して回動自在に設けられており、その高さは、各吊りチェーン用スプロケット１０，１１の高さよりも低くなっている。
【００３６】
このような構成を有するガイドローラ２７において、当接部２９は、前側及び後側支柱３，４の一側面３ａ，４ａに当接する。具体的には、図３に示すように、前側及び後側支柱３，４には、昇降駆動軸１８を軸支するピロー型ユニットの軸受３０ａ，３０ｂが設けられており、ガイドローラ２７は、下段パレット６ｂにおいて、前側及び後側支柱３，４における軸受３０ａ，３０ｂの固定位置と同一線上となる位置で前側及び後側支柱３，４と当接部２９が当接するように取り付けられている。前側及び後側支柱３，４の一側面３ａ，４ａは、ガイドローラ２７に対応するガイドレールとして機能している。
【００３７】
次に、以上のような構成を有する立体駐車装置１の作用効果について説明する。
【００３８】
図４（ａ）は、従来の立体駐車装置における昇降駆動軸と吊りチェーン用スプロケットとの位置関係を示す図である。図４（ａ）に示すように、従来の立体駐車装置１Ａでは、各吊りチェーン用スプロケット１０ａと各吊用スプロケット２２ａとの間の幅方向の間隔Ｗ１が確保されていないため、下段パレット６Ａを上昇させ過ぎると各吊りチェーン用スプロケット１０ａと各吊用スプロケット２２ａとが干渉するおそれがある。そのため、各吊りチェーン用スプロケット１０ａと各吊用スプロケット２２ａとの上下方向の間隔Ａを小さくすることができない。従って、昇降駆動軸の位置を低く設定する場合には、ピットをより深くする必要が生じ、既存のピットを造成し直さねばならない。
【００３９】
これに対して、図４（ｂ）に示すように、本発明の立体駐車装置１では、上述のように各吊りチェーン用スプロケット１０，１１と各吊用スプロケット２２，２３との間に間隔Ｗが確保されているため、下段パレット６ｂを昇降駆動軸１８付近まで上昇させた場合であっても、各吊りチェーン用スプロケット１０，１１と各吊用スプロケット２２，２３との歯先が衝突することがない。従って、各吊りチェーン用スプロケット１０，１１と各吊用スプロケット２２，２３との上下方向の間隔Ｂを従来の立体駐車装置１Ａにおける間隔Ａよりも小さく（Ｂ≪Ａ）することができる。本発明の立体駐車装置１では、従来の立体駐車装置１Ａに比べて、各吊りチェーン用スプロケット１０，１１と各吊用スプロケット２２，２３との上下方向の間隔Ｂを例えば５０ｍｍ程度小さくすることができる。
【００４０】
これにより、図５（ａ）に示すように、従来の立体駐車装置１Ａでは、高さ方向の省スペース化を図りつつ昇降駆動軸の位置を低くすることが困難であるため、道板Ｍ１が地上面Ｇに対して高さＣだけ出っ張るのに対し、立体駐車装置１では、図５（ｂ）に示すように、昇降駆動軸１８を低くすることができるので、道板Ｍを地上面Ｇに対して高さＤ（Ｃ≫Ｄ）とすることができる。すなわち、各吊りチェーン用スプロケット１０，１１と各吊用スプロケット２２，２３との上下方向の間隔Ｂを従来の間隔Ａよりも小さくできた分（Ａ―Ｂ）だけ、道板Ｍの高さＤを道板Ｍ１の高さＣよりも小さく（Ａ―Ｂ＝Ｃ―Ｄ）することが可能となる。従って、ピットＰを深く形成することなく、道板Ｍを地上面Ｇに対して低くすることができる。
【００４１】
以上説明したように、立体駐車装置１では、各吊りチェーン用スプロケット１０，１１がパレット昇降体５の昇降方向から見て各吊用スプロケット２２，２３と重ならない位置に配置されている。これにより、下段パレット６ｂを昇降駆動軸１８が設置された高さ位置付近まで上昇させた場合であっても、前側及び後側吊りチェーン用スプロケット１０，１１と前側及び後側吊用スプロケット２２，２３とが干渉（歯先が衝突）しない。そのため、下段パレット６ｂが上昇した分だけ昇降駆動軸１８の取り付け位置を低くすることができるので、昇降駆動軸１８の地上面Ｇに対する高さ位置を低く設定することが可能となる。これにより、昇降駆動軸１８を地上面Ｇに対して低くした分だけ、道板Ｍの高さを地上面Ｇに対して低くすることができる。また、各吊りチェーン用スプロケット１０，１１と各吊用スプロケット２２，２３との干渉を避けることができるので、高さ方向において各吊りチェーン用スプロケット１０，１１と各吊用スプロケット２２，２３との間に一定の間隔を確保する必要がなく、ピットを深く形成しなくてもよい。従って、立体駐車装置１では、ピットＰの深さを深くすることなく、道板Ｍの地上面Ｇに対する高さを低くすることができる。
【００４２】
また、各吊用スプロケット２２，２３の固定位置と各吊りチェーン１２，１３が固定される固定部２４の位置との間隔は、一対の吊りチェーン用スプロケット１０，１１の固定位置の間隔よりも大きくなっており、パレット昇降体５が固定部２４に偏在することによって、各吊用スプロケット２２，２３と各吊りチェーン用スプロケット１０，１１との間に、間隔Ｗが設けられている。このように、各吊りチェーン１２，１３が張設される幅方向の間隔よりも一対の吊りチェーン用スプロケット１０，１１の間の間隔を小さくすることで、パレット昇降体５をピットＰ内において偏在させることができる。そして、パレット昇降体５を偏在させた分だけ、各吊りチェーン用スプロケット１０，１１と各吊用スプロケット２２，２３との間の間隔Ｗを確保できるので、各吊りチェーン用スプロケット１０，１１と各吊用スプロケット２２，２３とが確実に重ならないように構成することができる。
【００４３】
なお、上記の間隔Ｗは、各吊りチェーン用スプロケット１０，１１の歯の総高さよりも大きいので、各吊用スプロケット２２，２３と各吊りチェーン用スプロケット１０，１１との干渉（歯先の接触）を確実に防止することができる。
【００４４】
また、立体駐車装置１には、間隔Ｗが保持されるようにパレット昇降体５の昇降をガイドするガイドローラ２７が設けられている。パレット昇降体５には、昇降時に一定方向に横荷重が加わるため、横方向への移動及び横揺れが発生する場合がある。そこで、ガイドローラ２７を設けることにより、昇降時において距離Ｗが保持されるので、パレット昇降体５を安定的に昇降させることができ、パレット昇降体５の横揺れを防止することができる。その結果、昇降駆動軸１８側の前側及び後側吊りチェーン用スプロケット１０，１１と前側及び後側吊用スプロケット２２，２３との間の間隔Ｗを確実に保つことができる。
【００４５】
また、ガイドローラ２７は、下段パレット６ｂに設けられ、昇降駆動軸が１８軸支された支柱３，４の一側面３ａ，４ａに当接部２９が当接する。そして、ガイドローラ２７の当接部２９の高さは、各吊りチェーン用スプロケット１０，１１の高さよりも低くなっている。パレット昇降体５は、各吊りチェーン１２，１３によって吊り上げられる構造上、下部に配置された下段パレット６ｂの揺れ幅が大きい。そこで、ガイドローラ２７を下段パレット６ｂに設けると共に、その高さを各吊りチェーン用スプロケット１０，１１の高さよりも低くすることにより、より安定的にパレット昇降体５を昇降させることができる。また、ガイドローラ２７を支柱３，４の一側面３ａ，４ａに当接させるので、ガイドレールを新たに設ける必要がなく、簡易な構成とすることができる。
【００４６】
また、支柱３，４には、昇降駆動軸１８の軸受３０ａ，３０ｂが固定されており、ガイドローラ２７の当接部２９は、軸受３０ａ，３０ｂの固定位置に対応して支柱３，４の一側面３ａ，３ｂに当接している。各吊りチェーン１２，１３による張力は、昇降駆動軸１８を軸支する軸受３０ａ，３０ｂを介して支柱３，４が受けることになる。そこで、ガイドローラ２７と軸受３０ａ，３０ｂの支柱３，４における固定位置とが同一線上となる位置にガイドローラ２７を設けることにより、軸受３０ａ，３０ｂがパレット６側に引っ張られる力と、ガイドローラ２７が昇降駆動軸１８側に突っ張る力とが互いに対向する方向から同一線上に加わるため、前側及び後側支柱３，４に加わる負担を最小限に抑えることができる。
【００４７】
ここで、例えば、ガイドローラ２７を各吊りチェーン用スプロケット１０，１１の高さよりも高い位置に設けた場合、ガイドローラ２７の当接部２９を支点として各吊りチェーン１２，１３の水平荷重がパレット昇降体５を転覆させようとする力に変質する。これに対し、本実施形態では、ガイドローラ２７の当接部２９を各吊りチェーン用スプロケット１０，１１の高さよりも低い位置に設けているので、ガイドローラ２７の反力がパレット昇降体５のバランス（パレット昇降体５の転覆防止性）に悪影響を与えない。従って、ガイドローラ２７がパレット昇降体５を好適にガイドすることができる。
【００４８】
また、上述の立体駐車装置１では、昇降駆動軸１８の前側及び後側吊用スプロケット２２，２３と前側及び後側吊チェーン用スプロケット１０，１１との間に間隔Ｗを設け、スプロケット同士の歯先の衝突を避けることで昇降駆動軸１８の取り付け位置を低くし、道板Ｍを地上面Ｇに対して極力低く設定しているが、上記の間隔Ｗを設ける構成とすることで、その他に以下のような作用効果を得ることができる。具体的には、図６を参照しながら説明する。図６は、下段パレットの構成を示す図であり、（ａ）は従来の下段パレット、（ｂ）は本発明に係る立体駐車装置の下段パレットを示している。
【００４９】
図６（ａ）に示すように、従来の立体駐車装置１Ａ（図４（ａ）参照）に設けられる下段パレット６Ａは、昇降駆動軸の吊用スプロケット２２ａとチェーン用スプロケット１０ａとの干渉を避けるために、吊りチェーンの架け渡し位置を下げる必要があるため、構造に厚みＥが生じてしまう。これにより、下段パレット６Ａの厚みＥの分だけ装置の高さ方向のスペースを必要とするため、ピットの深さを削減することが困難であった。
【００５０】
これに対し、本発明の立体駐車装置１では、昇降駆動軸１８の前側及び後側吊用スプロケット２２，２３と前側及び後側吊チェーン用スプロケット１０，１１との間に間隔Ｗが確保されているので歯先同士の衝突を避けることができる。これにより、吊りチェーン１２，１３の架け渡し位置を下げる必要がないので、図６（ｂ）に示すように、従来の下段パレット６Ａの構造に比べて、下段パレット６ｂの厚みＦを薄く（Ｆ≪Ｅ）することができる。この厚みの差（Ｅ−Ｆ）は、図４に示す従来の各吊りチェーン用スプロケット１０ａと各吊用スプロケット２２ａとの上下方向の間隔Ａと、各吊りチェーン用スプロケット１０，１１と各吊用スプロケット２２，２３との上下方向の間隔Ｂとの差と同等（Ｅ−Ｆ＝Ｂ−Ａ）となっている。
【００５１】
従って、図６（ｃ）に示すように、昇降駆動軸１８の前側及び後側吊用スプロケット２２，２３と前側及び後側吊チェーン用スプロケット１０，１１との間に間隔Ｗを設けて歯先同士の衝突を避けることにより、下段パレット６ｂの厚みを従来の下段パレット６Ａよりも小さくすることができるので、縮小した厚み分だけ装置の高さ方向の省スペース化を図ることができる。その結果、道板Ｍの地上面Ｇに対する高さを下げる代わりに、縮小した厚み分（Ｅ−Ｆ）だけピットＰの深さを削減することができる。すなわち、本発明の立体駐車装置１では、ピットＰの深さを変更することなく昇降駆動軸１８の高さを低く設定でき、道板Ｍの地上面Ｇに対する高さを低くすることができる他に、昇降駆動軸１８の高さを変更しない構成の場合には、ピットＰの深さを削減することができる。
【００５２】
本発明は、上述の実施形態に限定されるものではない。例えば、上記実施形態では、ガイドローラ２７の当接部２９の高さが前側及び後側吊りチェーン用スプロケット１０，１１の高さよりも低い高さとなっているが、前側及び後側吊りチェーン用スプロケット１０，１１の高さと同じ高さにガイドローラ２７が設けられてもよい。この場合にも、各吊りチェーン１２，１３の水平成分の張力をガイドローラ２７が同一位置で負担するため、パレット昇降体５のバランスに影響を与えることがない。
【００５３】
また、上記実施形態に加えて、パレット６の行き過ぎを防止する行過制限装置による制御的な停止操作が行われてもよい。また、パレット６の昇降の上限を超えるオーバーランが発生した場合に、吊金具とフレーム構造との当接により機械的に行き過ぎを阻止する構造が設けられていてもよい。
【００５４】
また、上記実施形態では、昇降駆動軸１８の高さ位置を低く設定することで道板Ｍの地上面Ｇに対する高さ位置を低くする構成と、昇降駆動軸１８の高さ位置を変更せずに下段パレット６ｂの厚さを小さくすることでピットＰの深さの低減を図る構成とを示したが、もちろん両構成を合わせることにより、昇降駆動軸１８の高さ位置を低くし、且つ下段パレット６ｂの厚さを低減することで、道板Ｍの地上面Ｇに対する高さを低くしつつ、ピットＰの深さの削減を図ることもできる。
【符号の説明】
【００５５】
１，４０…立体駐車装置、３，４…支柱（ピット支柱）、５…パレット昇降体、６（６ａ，６ｂ）…パレット、６ａ…下段パレット、７，８…パレット支柱、１０，１１…吊りチェーン用スプロケット（チェーン用スプロケット）、１２，１３…吊りチェーン、１８…昇降駆動軸、２２，２３…吊用スプロケット（吊り上げ用スプロケット）、２７…ガイドローラ（ガイド手段）、３０ａ，３０ｂ…軸受、Ｇ…地上面（乗り込み面）、Ｋ…車両、Ｐ…ピット。
【図１】
0005581024.tif 000002
【図２】
0005581024.tif 000003
【図３】
0005581024.tif 000004
【図４】
0005581024.tif 000005
【図５】
0005581024.tif 000006
【図６】
0005581024.tif 000007